(57)【要約】【課題】ユーザが設定値を読み取る際の視認性を高めることができるとともに、変数を設定する際の操作性を高めることができる変数設定装置を得ることを目的とする。【解決手段】回転操作受付部２の周囲に設けられている文字盤３に記されている複数の文字のうち、設定位置に存在する文字を表示するとともに、その設定位置に存在する文字に隣接している文字以外の文字を表示して、その設定位置に存在する文字に隣接している文字の表示を伏せる窓枠４を設ける。【選択図】図１
2010160914.tif 000002
【特許請求の範囲】
【請求項１】
中心部分に設けられている回転操作受付部の回転に伴って、上記回転操作受付部の周囲に設けられている文字盤が回転し、上記文字盤に記されている複数の文字のうち、所定の設定位置まで移動された文字の内容が変数の設定値になる回転式スイッチと、上記文字盤に記されている複数の文字のうち、上記設定位置に存在する文字を表示するとともに、上記設定位置に存在する文字に隣接している文字以外の文字を表示して、上記設定位置に存在する文字に隣接している文字の表示を伏せる窓枠とを備えた変数設定装置。
【請求項２】
中心部分に設けられている回転操作受付部の回転に伴って、上記回転操作受付部の周囲に設けられている第１の文字盤と上記第１の文字盤の周囲に設けられている第２の文字盤が一緒に回転し、上記第２の文字盤に記されている複数の文字のうち、所定の設定位置まで移動された文字の内容が変数の設定値になる回転式スイッチと、上記第１の文字盤に記されている全ての文字を表示するとともに、上記第２の文字盤に記されている複数の文字のうち、上記設定位置に存在する文字を表示して、上記設定位置に存在する文字以外の文字の表示を伏せる窓枠とを備えた変数設定装置。
【請求項３】
中心部分に設けられている回転操作受付部の回転に伴って、上記回転操作受付部の周囲に設けられている第１の文字盤と上記第１の文字盤の周囲に設けられている第２の文字盤が一緒に回転し、上記第１の文字盤に記されている複数の文字のうち、所定の設定位置まで移動された文字の内容が変数の設定値になる回転式スイッチと、上記第２の文字盤に記されている全ての文字を表示するとともに、上記第１の文字盤に記されている複数の文字のうち、上記設定位置に存在する文字を表示して、上記設定位置に存在する文字以外の文字の表示を伏せる窓枠とを備えた変数設定装置。
【発明の詳細な説明】
【技術分野】
【０００１】
この発明は、例えば、ネットワークに関するパラメータ（例えば、ＩＰアドレス）を設定する変数設定装置に関するものである。
【背景技術】
【０００２】
従来より、中心部分に設けられている回転操作受付部が回転する回転式スイッチを用いて、変数を設定する変数設定装置が存在する。
図８は一般的な回転式スイッチを示す平面図である。
図８の回転式スイッチでは、回転操作受付部（矢印形状の凹部が施されている回転部材）が中心部分に設けられ、その回転操作受付部の周囲に文字盤が設けられている。
そして、図８の回転式スイッチでは、回転操作受付部における矢印が指し示す文字盤上の文字の内容が変数の設定値になる。
図８の例では、２つの回転式スイッチが設けられており、２つの回転式スイッチによる設定値は、ともに“０”である。
【０００３】
このような回転式スイッチを用いる場合、ユーザが設定値を読み取る際、視点を文字盤の円周上に沿って移動させる必要がある。
このため、例えば、回転式スイッチが、視認性が悪い場所や作業性が悪い場所などに設置されている場合には、ユーザが設定値をとっさに読み取ることが困難な場合がある。
【０００４】
そこで、ユーザが視点を文字盤の円周上に沿って移動させることなく、設定値を読み取ることができるようにするために、回転操作受付部の回転に伴って、その回転操作受付部の周囲に設けられている文字盤が回転し、文字盤に記されている複数の文字のうち、所定の設定位置まで移動された文字の内容が変数の設定値になる回転式スイッチが開発されている（例えば、特許文献１を参照）。
また、特許文献１に開示されている回転式スイッチでは、所定の設定位置まで移動された文字のみを点灯することで、設定値の読み取りの容易化を図っている。
なお、所定の設定位置まで移動された文字以外の文字については表示が伏されている。
【先行技術文献】
【特許文献】
【０００５】
【特許文献１】特開２００１−２１０１８０号公報（段落番号［０００９］、図１）
【発明の概要】
【発明が解決しようとする課題】
【０００６】
従来の変数設定装置は以上のように構成されているので、所定の設定位置まで移動された文字のみを点灯する回転式スイッチを用いれば、設定値の読み取りの容易化を図ることができる。しかし、ユーザが変数を設定する際、所定の設定位置まで移動された文字以外の文字については表示が伏されているため、いずれの方向に回転操作受付部を回せば、速やかに所望の変数を設定できるのかを確認することができず、変数設定時の操作性が悪いなどの課題があった。
【０００７】
この発明は上記のような課題を解決するためになされたもので、ユーザが設定値を読み取る際の視認性を高めることができるとともに、変数を設定する際の操作性を高めることができる変数設定装置を得ることを目的とする。
【課題を解決するための手段】
【０００８】
この発明に係る変数設定装置は、回転操作受付部の周囲に設けられている文字盤に記されている複数の文字のうち、設定位置に存在する文字を表示するとともに、その設定位置に存在する文字に隣接している文字以外の文字を表示して、その設定位置に存在する文字に隣接している文字の表示を伏せる窓枠を設けるようにしたものである。
【発明の効果】
【０００９】
この発明によれば、回転操作受付部の周囲に設けられている文字盤に記されている複数の文字のうち、設定位置に存在する文字を表示するとともに、その設定位置に存在する文字に隣接している文字以外の文字を表示して、その設定位置に存在する文字に隣接している文字の表示を伏せる窓枠を設けるように構成したので、ユーザが設定値を読み取る際の視認性を高めることができるとともに、変数を設定する際の操作性を高めることができる効果がある。
【図面の簡単な説明】
【００１０】
【図１】この発明の実施の形態１による変数設定装置を示す平面図である。
【図２】この発明の実施の形態１による変数設定装置を示す分解斜視図である。
【図３】この発明の実施の形態１による他の変数設定装置を示す平面図である。
【図４】この発明の実施の形態１による他の変数設定装置を示す平面図である。
【図５】この発明の実施の形態２による変数設定装置を示す平面図である。
【図６】この発明の実施の形態３による変数設定装置を示す平面図である。
【図７】この発明の実施の形態４による変数設定装置を示す平面図である。
【図８】一般的な回転式スイッチを示す平面図である。
【発明を実施するための形態】
【００１１】
実施の形態１．
図１はこの発明の実施の形態１による変数設定装置を示す平面図であり、図２はこの発明の実施の形態１による変数設定装置を示す分解斜視図である。
図１，２において、回転式スイッチ１は例えばネットワーク上の変数を個別に設定するロータリースイッチであり、図１の例では、３つの回転式スイッチ１が設けられている。
【００１２】
回転式スイッチ１の中心部分には、例えば、マイナスドライバーの先端部分に合う直線形状の凹部が施されている回転部材である回転操作受付部２が設けられている。
回転操作受付部２の周囲には、複数の文字が記されている文字盤３が設けられており、文字盤３は回転操作受付部２の回転に伴って回転する。
窓枠４は文字盤３に記されている複数の文字のうち、上部の設定位置に存在する文字を表示するとともに、その設定位置に存在する文字に隣接している文字以外の文字を表示して、その設定位置に存在する文字に隣接している文字の表示を伏せる部材である。
図１では、設定位置が上部にある例を示しているが、設定位置は上部にあるものに限るものではなく、設定位置が下部にあってもよい。
【００１３】
次に動作について説明する。
ユーザが変数を設定する場合、回転式スイッチ１の中心部分にある回転操作受付部２を回すことで、文字盤３を回転して、文字盤３に記されている複数の文字のうち、変数の内容を示す文字を上部の設定位置まで移動する。
このとき、変数の内容を示す文字を上部の設定位置まで移動すれば、その文字の内容が変数の設定値になるが、窓枠４によって、設定位置に存在する文字に隣接している文字の表示が伏せられて、設定位置に存在する文字が表示されているので、設定位置に存在する文字を正確に確認することができる。
【００１４】
また、変数の内容を示す文字を上部の設定位置まで移動する過程において、窓枠４によって、設定位置に存在する文字に隣接している文字以外の文字については表示されているので、回転操作受付部２をどちらの方向に回せば、より速やかに所望の文字を設定位置まで移動させられるかを確認することができる。
例えば、現在、設定位置に存在する文字が“５”であるとき（図１の１の位の回転式スイッチ１を参照）、所望の文字が“８”であれば、回転操作受付部２を左回転させる方が、右回転させるよりも、より速やかに所望の文字を設定位置まで移動させられることを把握することができる。
【００１５】
一方、ユーザが設定値を読み取る場合、窓枠４によって、設定位置に存在する文字に隣接している文字の表示が伏せられて、設定位置に存在する文字が表示されているので、設定位置に存在する文字がはっきり見られるようになり、設定値を正確に確認することができる。
なお、図１の例では、１００の位の回転式スイッチ１の設定値が“０”、１０の位の回転式スイッチ１の設定値が“０”、１の位の回転式スイッチ１の設定値が“５”に設定されており、３つの回転式スイッチ１による設定値は“００５”である。
【００１６】
以上で明らかなように、この実施の形態１によれば、回転操作受付部２の周囲に設けられている文字盤３に記されている複数の文字のうち、設定位置に存在する文字を表示するとともに、その設定位置に存在する文字に隣接している文字以外の文字を表示して、その設定位置に存在する文字に隣接している文字の表示を伏せる窓枠４を設けるように構成したので、ユーザが設定値を読み取る際の視認性を高めることができるとともに、変数を設定する際の操作性を高めることができる効果を奏する。
【００１７】
なお、この実施の形態１では、１つの窓枠４が設けられているものについて示したが、図３及び図４に示すように、設定位置に存在する文字を表示する窓枠４ａと、その設定位置に存在する文字に隣接している文字以外の文字を表示する窓枠４ｂとが別々に設けられていてもよく、同様の効果を奏することができる。
【００１８】
実施の形態２．
図５はこの発明の実施の形態２による変数設定装置を示す平面図であり、図において、図１と同一符号は同一又は相当部分を示すので説明を省略する。
回転操作受付部２の周囲には、複数の文字が記されている文字盤５が設けられており、文字盤５は回転操作受付部２の回転に伴って回転する。なお、文字盤５は第１の文字盤を構成している。
文字盤５の周囲には、複数の文字が記されている文字盤６が設けられており、文字盤６は回転操作受付部２の回転に伴って、文字盤５と一緒に回転する。なお、文字盤６は第２の文字盤を構成している。
ただし、文字盤５における文字の位置と文字盤６における文字の位置とは同じであり、例えば、文字盤５に記されている“３”が上部にあれば、文字盤６に記されている“３”も上部にあり、文字盤５に記されている“７”が上部にあれば、文字盤６に記されている“７”も上部にある。
窓枠７は文字盤５に記されている全ての文字を表示するとともに、文字盤６に記されている複数の文字のうち、設定位置に存在する文字を表示して、その設定位置に存在する文字以外の文字の表示を伏せる部材である。
【００１９】
次に動作について説明する。
ユーザが変数を設定する場合、回転式スイッチ１の中心部分にある回転操作受付部２を回すことで、文字盤５，６を一緒に回転して、文字盤５，６に記されている複数の文字のうち、変数の内容を示す文字を上部の設定位置まで移動する。
このとき、変数の内容を示す文字を上部の設定位置まで移動すれば、その文字の内容が変数の設定値になるが、窓枠７によって、文字盤６に記されている複数の文字のうち、設定位置に存在する文字のみが表示されているので、設定位置に存在する文字を正確に確認することができる。
【００２０】
また、変数の内容を示す文字を上部の設定位置まで移動する過程において、窓枠７によって、文字盤５に記されている全ての文字が表示されているので、回転操作受付部２をどちらの方向に回せば、より速やかに所望の文字を設定位置まで移動させられるかを確認することができる。
例えば、現在、設定位置に存在する文字が“０”であるとき、所望の文字が“７”であれば、回転操作受付部２を右回転させる方が、左回転させるよりも、より速やかに所望の文字を設定位置まで移動させられることを把握することができる。
【００２１】
一方、ユーザが設定値を読み取る場合、窓枠７によって、文字盤６に記されている複数の文字のうち、設定位置に存在する文字のみが表示されているので、設定値を正確に確認することができる。
【００２２】
以上で明らかなように、この実施の形態２によれば、中心部分に設けられている回転操作受付部２の回転に伴って、回転操作受付部２の周囲に設けられている文字盤５と文字盤５の周囲に設けられている文字盤６が一緒に回転し、文字盤６に記されている複数の文字のうち、所定の設定位置まで移動された文字の内容が変数の設定値になる回転式スイッチ１と、文字盤５に記されている全ての文字を表示するとともに、文字盤６に記されている複数の文字のうち、その設定位置に存在する文字を表示して、その設定位置に存在する文字以外の文字の表示を伏せる窓枠７とを設けるように構成したので、ユーザが設定値を読み取る際の視認性を高めることができるとともに、変数を設定する際の操作性を高めることができる効果を奏する。
【００２３】
実施の形態３．
図６はこの発明の実施の形態３による変数設定装置を示す平面図であり、図において、図５と同一符号は同一又は相当部分を示すので説明を省略する。
窓枠８は文字盤６に記されている全ての文字を表示するとともに、文字盤５に記されている複数の文字のうち、設定位置に存在する文字を表示して、その設定位置に存在する文字以外の文字の表示を伏せる部材である。
【００２４】
上記実施の形態２では、文字盤５，６のうち、内側に設けられている文字盤５に記されている全ての文字を表示するとともに、外側に設けられている文字盤６に記されている複数の文字のうち、その設定位置に存在する文字を表示のみを表示する窓枠７を設けているものについて示したが、図６に示すように、文字盤５，６のうち、外側に設けられている文字盤６に記されている全ての文字を表示するとともに、内側に設けられている文字盤５に記されている複数の文字のうち、その設定位置に存在する文字を表示のみを表示する窓枠８を設けるようにしてもよく、上記実施の形態２と同様の効果を奏する。
【００２５】
実施の形態４．
上記実施の形態１〜３では、回転操作受付部２を左方向に回すと、数字が昇順に変化するように、文字盤３，５，６に数字（文字）が記されているものについて示したが、図７に示すように、回転操作受付部２を右方向に回すと、数字が昇順に変化するように、文字盤３，５，６に数字（文字）が記されていてもよい。
【符号の説明】
【００２６】
１  回転式スイッチ、２  回転操作受付部、３  文字盤、４  窓枠、５  文字盤（第１の文字盤）、６  文字盤（第２の文字盤）、７，８  窓枠。
【図１】
2010160914.tif 000003
【図２】
2010160914.tif 000004
【図３】
2010160914.tif 000005
【図４】
2010160914.tif 000006
【図５】
2010160914.tif 000007
【図６】
2010160914.tif 000008
【図７】
2010160914.tif 000009
【図８】
2010160914.tif 000010